(57)【特許請求の範囲】
【請求項１】
常時開放方向に付勢されたアーム６を備えた把持部２と、前記アーム６の把持動作に連動する苗挟持片１３と少なくとも前記苗挟持片１３の対向位置に設けられた苗植付用の爪１０を有する植付部３と、前記把持部２と植付部３を両端に備えた筒状パイプ４とを設けた補植機１と、
矩形の板２１上に凹凸状の部材２２を固定し、その一側部にマット苗の底面を差し込み支持するマット苗保持針２４を複数本並べて配置し、マット苗保持針２４の近傍にはマット苗保持針２４より高さの高い保護板２８を配置したマット苗載置台２０との組み合わせ体。
【請求項２】
矩形の板２１上に凹凸状の部材２２を固定し、その一側部にマット苗の底面を差し込み支持するマット苗保持針２４を複数本並べて配置し、マット苗保持針２４の近傍にはマット苗保持針２４より高さの高い保護板２８を配置したマット苗載置台。
【発明の詳細な説明】
【０００１】
【発明の属する技術分野】
この発明は、苗移植機の補助具となる補植機、マット苗載置台及びそれらの組み合わせ体に関するものである。
【０００２】
【従来技術】
重労働である田植え作業からの解放のために、機械的に苗を圃場に植え付ける機構を備えた歩行型田植機及び乗用型田植機が開発され、最近では前記田植機を用いないで苗の植え付けを行うことはほとんどない。
【０００３】
しかし歩行型田植機又は乗用型田植機を用いて苗を植え付ける場合には４条から６条、あるいは８条分を田植機の一度の往路又は復路で植え付けるので、圃場のコーナー部又は変形圃場などにおいて田植機では苗を植え付けることができないスペースを残す場合が多い。また田植機を用いて苗の植え付けを行った箇所でも、何らかの事情で植え付けができていない場所などが発生することがある。
【０００４】
このような領域での苗の植え付けは田植機ではできないので、人手により植え付けを行っているが、中腰での苗植え付け作業は、負担のかかる重労働であり、前記田植機による植え付け不能な圃場での苗の植え付けを容易にするために補植機を用いることが種々提案されている。
【０００５】
【特許文献１】
実公昭４０−５７２４号公報
【０００６】
【特許文献２】
実開平８−７６２号公報
【０００７】
【発明が解決しようとする課題】
前記実公昭４０−５７２４号公報には円筒状のパイプ内の伝動軸の先端に苗を一対の苗挟み片で挟み取る挟み部を設け、円筒状パイプの挟み部の反対側の端部にはスプリングで開放方向に付勢された一対の把持アームを設け、一対の把持アームを握り締めることで、一対の苗挟み片を作動させて苗を挟み取る構成の補植機が開示されている。この補植機を用いて圃場で苗を植え付ける場合には、一対の苗挟み片を挟み取った苗を圃場に植え付けた後に把持部を開放させると、苗を容易に植え付けることができる構成である。
【０００８】
この考案は、マット苗が無かった時代、すなわち現在のようなマット苗を用いて田植機で植え付ける方式の機械がない時代の発明であり、マット苗から一部の苗を取り出すことが想定されていな構成のものであり、マット苗から一部の苗を挟み取ることはできない。
【０００９】
また、実開平８−７６２号公報には把持部と一対の先鋭スティックをそれぞれ両側の端部に持つ円筒パイプからなり、一対の先鋭スティックでマット苗から一部の苗をむしり取り、圃場にこれを挿し込んだ後、把持部のノブの操作で円筒パイプから一対の先鋭スティックの間に伸びたロッドを押しだし、苗を圃場に植え付ける構成が記載されている。
【００１０】
上記構成の補植機は、一対の先鋭スティックが動かない構成なのでマット苗から苗をむしり取るのが易しいとはいえない。
【００１１】
本発明の課題は、マット苗から一部の苗を容易に取りだし、かつ圃場に簡単に植え付けることができる補植機、マット苗載置台及びそれらの組み合わせ体を提供することである。
【００１２】
【課題を解決するための手段】
上記課題を解決するために本発明では次のような解決手段を採用した。
請求項１記載の発明は、常時開放方向に付勢されたアーム６を備えた把持部２と、前記アーム６の把持動作に連動する苗挟持片１３と少なくとも前記苗挟持片１３の対向位置に設けられた苗植付用の爪１０を有する植付部３と、前記把持部２と植付部３を両端に備えた筒状パイプ４とを設けた補植機１と、矩形の板２１上に凹凸状の部材２２を固定し、その一側部にマット苗の底面を差し込み支持するマット苗保持針２４を複数本並べて配置し、マット苗保持針２４の近傍にはマット苗保持針２４より高さの高い保護板２８を配置したマット苗載置台２０との組み合わせ体である。
【００１３】
請求項２記載の発明は、矩形の板２１上に凹凸状の部材（ゴルフマット）２２を固定し、その一側部にマット苗の底面を差し込み支持するマット苗保持針２４を複数本並べて配置し、マット苗保持針２４の近傍にはマット苗保持針２４より高さの高い保護板２８を配置したマット苗載置台である。
【００１４】
請求項１記載の発明によれば、補植機１の先端にある植付部３の少なくとも前記苗挟持片１３の対向位置に設けられた苗植付用の爪１０を備えた一対の二股爪１０、１１をそれぞれマット苗に差し込み、一対の把持アーム５、６を握り締めることで苗挟持片１３を回動させて二股爪１０とで苗を挟み込み、そのまま補植機１を捻るとマット苗の一部の苗を容易にマット苗からむしり取ることができる。
【００１５】
むしり取った苗を適宜の圃場に植え付けて把持アーム５、６の握りをほどくと、苗は圃場に植え付けることができる。
【００１６】
請求項２記載の発明によれば、マット苗載置台２０を圃場上に置き、マット苗載置台２０の矩形の板２１上の凹凸状の部材（ゴルフマット）２２にマット苗を載せて、保護針２４にマット苗の底面を差し込んでマット苗を仮固定する。補植機１の二股爪１０、１１でマット苗を深く挿し込んでも凹凸状の部材（ゴルフマット）２２があるので容易にマット苗の底面部まで二股爪１０、１１が達し、該二股爪１０、１１と苗挟持片１３とで挟み込んだ苗を容易に把持できる。
【００１７】
さらにマット苗保持針２４の近傍にはマット苗保持針２４より高さの高い保護板２８を配置してあるのでマット苗保持針２４が人を傷つけることがない。
【００１８】
【発明の効果】
請求項１、２記載の発明によれば、中腰にならずに補植機１を用いて容易にマット苗から少量の苗をむしり取って、僅かなスペースでも少量の苗を植え付けることができるので、田植機による苗植え付けができなかった箇所に立ったまま苗を植え付けることができ、苗植え付け作業が容易に行える。
【００１９】
【発明の実施の形態】
以下、本発明の好ましい実施の形態について説明する。図１には補植機の側面全体図を示し、図２に補植機の把持部の側面図を示し、図３に補植機の先端部の斜視図を示し、図４に補植機の先端部の図１の紙面裏側から見た図を示す。
【００２０】
補植機１は把持部２と植付部３とこれらを両端に持つ筒状パイプ４からなり、把持部２は上下一対の把持アーム５、６からなり、該一対の把持アーム５、６は基部が筒状パイプ４の先端に支持され、上側の把持アーム５の基部が筒状パイプ４に固定され、もう一方の下側の把持アーム６の基部が筒状パイプ４に回動自在に支持されている。上下の把持アーム５、６はスプリング８で常時、アーム５、６が互いに開放方向に付勢されている。また下側の把持アーム６は筒状パイプ４の内部に伸びたロッド９と連結し、該ロッド９の先端には、後述する植付部３の苗挟持片１３が連結している。
【００２１】
植付部３は筒状パイプ４の下端部が四角柱状４ａになっており、その内の隣接する二つの側壁部に支持された先端が針状の二股爪１０、１１がそれぞれ設けられ、圃場に苗を植え付ける場合に二股爪１０、１１が苗の周りの圃場をほぐして、苗の植え付けを容易にする機能を有する。
【００２２】
また筒状パイプ４の四角柱状４ａの下端部の一つの側壁部には、回動可能な苗挟持片１３が設けられている。苗挟持片１３の回動中心軸１４の上側には苗挟持片１３が回動する場合の軌跡に沿う長穴１５が設けられ、四角柱状４ａには前記長穴１５内を摺動するボルトなどで構成される突起部１６が設けられているので苗挟持片１３の回動が安定的に行えるようになっている。苗挟持片１３は前記下側の把持アーム６と筒状のパイプ４内に伸びたロッド９を介して連結しており、下側の把持アーム６を把持すると苗挟持片１３の先端が二股爪１０に接触する方向に回動する。
【００２３】
また、マット苗（図示せず）を載置する載置台２０を図５の斜視図に示す。マット苗載置台２０は木製板２１上にゴルフ練習用の合成樹脂製のマットなどの凹凸のあるマット２２を固定し、その一側部にマット苗の底面を差し込み支持するマット苗保持針２４を複数本並べて配置する。またマット苗保持針２４の配置部の外側には載置台２０を中腰にならずに運ぶためのホルダ２５を立設する。該ホルダ２５の中程には木製板２１の平面と平行な方向に伸びる補植機１の当接用ロッド２６を設けておく。また、マット苗保持針２４とホルダ２５との間にはマット苗保持針２４を人間が踏みつけることがないように、前記保持針２４より高さの高い保護板２８を保持針２４の設置幅以上の幅で設けておく。保護板２８は可動式にしておき、マット苗を挟み込むことができる構成にしてもよい。また木製板２１の底面は圃場から抜け易いようように、例えば側面視で下向きの四角錐状の合成樹脂製のブロック２９を設けておく。また前記ブロック２９を設けないで、木製板２１に多数の上下貫通穴を設けておくことで、載置台２０を圃場から抜け易くすることもできる。
【００２４】
上記補植機１の筒状パイプ３とマット苗載置台２０のホルダ２５は作業者の身長に合わせて伸縮式のものにしておくと、各作業者の作業能率に資する。
【００２５】
上記構成からなる補植機１とマット苗載置台２０は次の様に使用される。
まず、マット苗載置台２０を圃場上の載せ、マット苗載置台２０のゴルフマット２２上にマット苗を載せる。このとき保護針２４にマット苗の底面を差し込むことでマット苗をゴルフマット２２上に仮固定できる。また、マット苗はゴルフマット２２上に載置されるので、補植機１の二股爪１０、１１でマット苗を深く挿し込んでも容易にマット苗の底面部まで二股爪１０、１１が達し、該二股爪１０と苗挟持片１３とで挟み込んだ苗を容易に把持できる。
【００２６】
上記したように補植機１の先端にある植付部３の一対の二股爪１０、１１をマット苗に差し込み、一対の把持アーム５、６を握り締めることで苗挟持片１３を回動させて二股爪１０とで苗を挟み込み、そのまま補植機１を捻るとマット苗の一部の苗が容易にマット苗からむしり取れる。むしり取った苗を適宜の圃場に植え付けて把持アーム５、６の握りをほどくと、苗は圃場に植え付けられる。
【００２７】
また、マット苗載置台２０にはホルダ２５の中程には木製板２１の平面と平行は方向に伸びる補植機１の当接用ロッド２６を設けているので、補植機１の筒状パイプ４部分を該ロッド２６に当てた状態でマット苗の狙った苗の部分を容易に掴むことができる。
【００２８】
これらの動作を作業者は中腰などにならず、立ったまま行えるので、非常に楽な作業となる。
【図面の簡単な説明】
【図１】本発明の実施の形態の補植機の側面全体図を示す。
【図２】図１の補植機の把持部の側面図を示す。
【図３】図１の補植機の先端部の斜視図を示す。
【図４】図１の補植機の先端部の図１の紙面裏側から見た図を示す。
【図５】本発明の実施の形態の苗載置台の斜視図を示す。
【符号の説明】
１  補植機              ２  把持部
３  植付部              ４  筒状パイプ
４ａ  四角柱状          ５、６  アーム
８  スプリング          ９  ロッド
１０  １１  爪          １３  苗挟持片
１４  回動中心軸        １５  長穴
１６  突起部            ２０  載置台
２１  板                ２２  部材
２４  マット苗保持針    ２５  ホルダ
２６  ロッド            ２８  保護板
２９  ブロック
【要約】【課題】マット苗から一部の苗を容易に取りだし、かつ圃場に簡単に植え付けることができる補植機、マット苗載置台及びそれらの組合体を提供すること。
【解決手段】常時開放方向に付勢された一対のアーム５、６を有する把持部２と一対のアーム５、６の把持動作に連動する苗挟持片１３と少なくとも前記苗挟持片１３の対向位置に設けられた苗植付用の爪１０、１１を有する植付部３と把持部２と植付部３を両端に備えた筒状パイプ４とを設けた補植機１と矩形の板２１上にゴルフマット２２を固定し、その一側部にマット苗の底面を差し込み支持するマット苗保持針２４を複数本並べて配置し、該保持針２４の近傍にはマット苗保持針２４より高さの高い保護板２８を配置したマット苗載置台２０を用いて中腰にならずに補植機１を用いて容易にマット苗から少量の苗をむしり取って、僅かなスペースでも少量の苗を植え付けることができる。
【選択図】    図１【図１】
0003575765.tif 000002
【図２】
0003575765.tif 000003
【図３】
0003575765.tif 000004
【図４】
0003575765.tif 000005
【図５】
0003575765.tif 000006